(57)【要約】      （修正有）【課題】折り畳みサイズがコンパクトで、持ち運びやすく、部品の紛失が避けられ、使用手間を省くことができる超軽量のキャンプ用伸縮ベッドを提供する。【解決手段】伸縮ベッドは、保持布部１と、布部支持棒２と、支持脚体３と、弾性ロープとを有し、保持布部の長手方向の両側に支持棒用筒状部が設けられ、布部支持棒が支持棒用筒状部内に嵌挿され、支持脚体は、支持棒と、接続係合部材と、固定支持脚と、ロック支持脚と、締結部材とを有し、接続係合部材が支持棒の両端に固定され、固定支持脚とロック支持脚が接続係合部材に取り付けられ、ロック支持脚が回転可能であり、締結部材がロック支持脚の摺動孔を貫通して摺動でき、締結部材が接続係合部材の係合溝内に係着されたとき、ロック支持脚と固定支持脚の位置が対応し、固定支持脚とロック支持脚が先端の接続係合口により脚体取付孔から露出する布部支持棒に固定係合され、布部支持棒と支持脚体が組合せ可能な管体により構成され、弾性ロープにより接続される。【選択図】図１
0003221643.tif 000002
【実用新案登録請求の範囲】
【請求項１】
保持布部(１)と、布部支持棒(２)と、支持脚体(３)と、弾性ロープ(４)とを有し、
保持布部(１)の長手方向の両側には、両端部が封された支持棒用筒状部(１１)が設けられ、支持棒用筒状部(１１)には、等間隔で少なくとも４つの脚体取付孔(１２)が開設され、両支持棒用筒状部(１１)の対応する脚体取付孔(１２)の中心が結ばれる保持布部(１)の短手方向の線が、支持棒用筒状部(１１)の中心線に垂直し、
布部支持棒(２)は、中心にロープ貫通孔(２１)が開設され、複数の組合せ可能な管体が接続されてなるものであり、組合せ可能な管体は、弾性ロープ(４)により接続され、２つずつがジャーナルと係合部との係合により係着され、弾性ロープ(４)の両端が固定規制部材(５)により布部支持棒(２)の両先端に固定されるように設けられ、布部支持棒(２)の一端の管体の長さが支持棒用筒状部(１１)の先端から一つ目の脚体取付孔(１２)までの距離に等しく、布部支持棒(２)の全長が支持棒用筒状部(１１)の長さに等しく設けられ、布部支持棒(２)が支持棒用筒状部(１１)内に嵌挿され、
前記支持脚体(３)は、支持棒(３１)と、接続係合部材(３２)と、固定支持脚(３３)と、ロック支持脚(３４)と、締結部材(３５)とを有し、
２つの接続係合部材(３２)がそれぞれ支持棒(３１)の両端に固定取り付けられ、固定支持脚(３３)が、支持棒(３１)に垂直するように接続係合部材(３２)に固定取り付けられ、ロック支持脚(３４)は、その形状、大きさが固定支持脚(３３)と同様であり、他端の接続係合部材(３２)に回転可能に取り付けられ、
接続係合部材(３２)に係合溝(３６)が設けられ、ロック支持脚(３４)の両側に摺動孔(３７)が設けられ、締結部材(３５)が摺動孔(３７)を摺動可能に貫通し、締結部材(３５)の両端の径が摺動孔(３７)の幅より大きく、締結部材(３５)と係合溝(３６)とが対応するように設けられ、締結部材(３５)が係合溝(３６)内に係着されたとき、ロック支持脚(３４)の位置が固定支持脚(３３)の位置と対応するようになり、
固定支持脚(３３)とロック支持脚(３４)との先端に、脚体取付孔(１２)から露出している布部支持棒(２)に固定係合される接続係合口(３８)がそれぞれ設けられ、接続係合口(３８)の凹面と布部支持棒(２)の外面とが締りばめのように係合され、係合された場合、固定支持脚(３３)及びロック支持脚(３４)が保持布部(１)に垂直するようになり、
支持棒(３１)は、中心にロープ貫通孔(２１)が開設され、複数の組合せ可能な管体により接続されてなるものであり、組合せ可能な管体が、弾性ロープ(４)により接続され、２つずつがジャーナルと係合部との係合により係着され、弾性ロープ(４)の両端が固定規制部材(５)により支持棒(３１)の両先端に固定されるように設けられている
ことを特徴とする超軽量のキャンプ用伸縮ベッド。
【請求項２】
前記締結部材(３５)は、固定ピンであり、ピンの両端に締付ナットが固定され、締付ナットがピンの径より大きいことを特徴とする請求項１に記載の超軽量のキャンプ用伸縮ベッド。
【請求項３】
保持布部(１)の上面の一端に枕固定袋が設けられていることを特徴とする請求項１に記載の超軽量のキャンプ用伸縮ベッド。
【請求項４】
前記固定支持脚(３３)及びロック支持脚(３４)は、三角形の支持構造であることを特徴とする請求項１に記載の超軽量のキャンプ用伸縮ベッド。
【請求項５】
前記支持棒用筒状部(１１)に、等間隔で４つの脚体取付孔(１２)が開設されることを特徴とする請求項１に記載の超軽量のキャンプ用伸縮ベッド。
【請求項６】
前記布部支持棒(２)は、５つの組合せ可能な管体により接続されてなるものであることを特徴とする請求項１に記載の超軽量のキャンプ用伸縮ベッド。
【請求項７】
前記支持棒(３１)は、２つの組合せ可能な管体により接続されてなるものであることを特徴とする請求項１に記載の超軽量のキャンプ用伸縮ベッド。
【請求項８】
前記固定規制部材(５)は、同軸に設けられる頭部(５１)と接続部(５２)とを有し、
頭部(５１)の径がロープ貫通孔(４)の孔径より大きく、接続部(５２)の径がロープ貫通孔(２１)の孔径に等しく、固定規制部材(５)は、接続部(５２)を介して、弾性ロープ(４)の両端を固定する棒体のロープ貫通孔(２１)の先端に固定係合され、頭部(５１)及び接続部(５２)の中心に中心貫通孔(５３)が開設され、中心貫通孔(５３)の孔径と弾性ロープ(４)の径とが対応するように設けられ、弾性ロープ(４)が中心貫通孔(５３)を通して結び目を作るように又は焼結により固定されることを特徴とする請求項１に記載の超軽量のキャンプ用伸縮ベッド。
【考案の詳細な説明】
【技術分野】
【０００１】
関連出願の交互引用
本出願は、２０１６年６月１０日に中国専利局に提出された出願番号が２０１６２０５５６１８７．８であり、名称が「超軽量のキャンプ用伸縮ベッド」である中国実用新案出願に基づいて優先権を主張し、その全ての内容は、参照により本明細書に組み込まれる。
【０００２】
本出願は、アウトドア用品の分野に属し、殊に、超軽量のキャンプ用伸縮ベッドに関する。
【背景技術】
【０００３】
現代の社会では、ベッドは、一般家具として幅広く使用されているが、大きくて、運送や保管に不便であり、室内に置くことにしか適しない。アウトドアアクティビティがますます注目される現代では、持ち運びに便利なベッドが求められるので、伸縮ベッドがこのような事情に鑑みてなされたものである。伸縮ベッドは、野外訓練及び様々な災害救援に幅広く活用され、また、旅及び病院では、人々に快適な寝心地及び便利なコンディションを提供できる。また、一部の緊急な自然災害に遭った地域で、しばらく家を再建できない状況となった場合、伸縮ベッドが、災害に遭う人々や災害救援人員の一時的な寝る用品として役に立つので、災害に遭う人々や災害救援人員が冷たい地面に眠て体が冷えて病気になるような災害状況が拡大することが避けられる。現在市販の伸縮ベッドが様々あるが、その骨組みは、折り畳まれるしかできず、分解できないようになっている。また、ベッドを折り畳んでその体積を縮小させることができるが、折りたたんだベッドがまだ大きくて重いので、持ち運びに不便である。折りたたんだベッドがまだ大きいという問題を鑑みって完全に分解可能な折り畳み骨組みが発明されたが、このような折り畳み骨組みは、構成が複雑で、部品が多いので、使用及び収納するときに作業が煩雑で、組立・分解に不便であり、そして１つの部品を無くすだけで使用できなくなるため、使用に多少影響している。技術の発展に連れ、伸縮ベッドに対する要求がますます高まり、質を重視する一方、伸縮ベッドの使用や収納を簡単、便利にすることも求められている。普段、アウトドアアクティビティのとき、持ち物が多いため、伸縮ベッドを折り畳んで極小のものに抑えなければ、乗り物の大きさに制限され、伸縮ベッドがいつも最後に考慮されるものになるので、伸縮ベッドの販売に大きく影響している。アウトドアでも心地よい睡眠がとれる要望があるため、サイズをできる限り縮小させ且つ強度及び耐荷重性を保証できる伸縮ベッドを実現することは当業者に重要視されている。
【０００４】
上記問題を解決するため、出願人が超軽量のキャンプ用伸縮ベッドを発明し、当該伸縮ベッドは、両側のフレームと底部のフレームを完全に分解可能にして、両側フレームが直列に多段嵌挿可能に構成され、各嵌挿管が弾性ロープにより繋がているので、折りたたんだベッドの杆がなくされなく、また、完全に折り畳んだ後の長手寸法が小さくて、持ち運びやすく、そして組み立てやすく、外観及び実用性を兼ねるものとなる。
【考案の概要】
【考案が解決しようとする課題】
【０００５】
本考案は、伸縮ベッドの折り畳みフレームが完全に分解され、持ち運びやすい軽量・小型のものに折り畳んで収納できるものであり、相応の保持布部を加えて、デザインがよくて丈夫で、旅に出るときの持ち運びの要求を満たせる超軽量のキャンプ用伸縮ベッドを提供することを目的としている。
【課題を解決するための手段】
【０００６】
本出願は、下記の技術案を用いるものである。
超軽量のキャンプ用伸縮ベッドは、保持布部と、布部支持棒と、支持脚体と、弾性ロープとを有し、保持布部の長手方向の両側には、両端部が封された支持棒用筒状部が設けられ、支持棒用筒状部には、等間隔で少なくとも４つの脚体取付孔が開設され、両支持棒用筒状部の対応する脚体取付孔の中心が結ばれる保持布部の短手方向の線が、支持棒用筒状部の中心線に垂直し、布部支持棒は、中心にロープ貫通孔が開設され、複数の組合せ可能な管体により接続されてなるものであり、組合せ可能な管体は、弾性ロープにより接続され、２つずつがジャーナルと係合部との係合により係着され、弾性ロープの両端が固定規制部材により布部支持棒の両先端に固定されるように設けられ、布部支持棒の一端の管体の長さが支持棒用筒状部の先端から一つ目の脚体取付孔までの距離に等しく、布部支持棒の全長が支持棒用筒状部の長さに等しく設けられ、布部支持棒が支持棒用筒状部内に嵌挿され、前記支持脚体は、支持棒と、接続係合部材と、固定支持脚と、ロック支持脚と、締結部材とを有し、２つの接続係合部材がそれぞれ支持棒の両端に固定取り付けられ、固定支持脚が、支持棒に垂直するように接続係合部材に固定取り付けられ、ロック支持脚は、その形状、大きさが固定支持脚と同様であり、他端の接続係合部材に回転可能に取り付けられ、接続係合部材に係合溝が設けられ、ロック支持脚の両側に摺動孔が設けられ、締結部材が摺動孔を摺動可能に貫通し、締結部材の両端の径が摺動孔の幅より大きく、締結部材と係合溝とが対応するように設けられ、締結部材が係合溝内に係着されたとき、ロック支持脚の位置が固定支持脚の位置と対応するようになり、固定支持脚とロック支持脚との先端に、脚体取付孔から露出している布部支持棒に固定係合される接続係合口がそれぞれ設けられ、接続係合口の凹面と布部支持棒の外面とが締りばめのように係合され、係合された場合、固定支持脚及びロック支持脚が保持布部に垂直するようになり、支持棒は、中心にロープ貫通孔が開設され、複数の組合せ可能な管体により接続されてなるものであり、組合せ可能な管体が、弾性ロープにより接続され、２つずつがジャーナルと係合部との係合により係着され、弾性ロープの両端が固定規制部材により支持棒の両先端に固定されるように設けられていることを特徴とする。
【０００７】
さらに、前記締結部材は、固定ピンであり、ピンの両端に締付ナットが固定され、締付ナットがピンの径より大きい。
【０００８】
さらに、保持布部の上面の一端に枕固定袋が設けられる。
さらに、前記固定支持脚及びロック支持脚は、三角形の支持構造である。
【０００９】
さらに、前記支持棒用筒状部に、等間隔で４つの脚体取付孔が開設される。
さらに、前記布部支持棒は、５つの組合せ可能な管体により接続されてなるものである。
【００１０】
さらに、前記支持棒は、２つの組合せ可能な管体により接続されてなるものである。
さらに、前記固定規制部材は、同軸に設けられる頭部と接続部とを有し、頭部の径がロープ貫通孔の孔径より大きく、接続部の径がロープ貫通孔の孔径に等しく、固定規制部材は、接続部を介して、弾性ロープの両端を固定する棒体のロープ貫通孔の先端に固定係合され、頭部及び接続部の中心に中心貫通孔が開設され、中心貫通孔の孔径と弾性ロープの径とが対応するように設けられ、弾性ロープが中心貫通孔を通して結び目を作るように又は焼結により固定される。
【００１１】
当該伸縮ベッドの収納・折り畳み方法は、以下のようになる。まず、ロック支持脚を回して、締結部材を係合溝から取り出し、さらにロック支持脚及び固定支持脚を布部支持棒から取外し、つまり、支持脚体と布部支持棒とを分解する。そして、支持棒用筒状部の先端から一つ目の脚体取付孔までの距離と同長の布部支持棒の一端の管体を引っ張り出し、さらに布部支持棒全体を支持棒用筒状部から取り出す。そして、布部支持棒及び支持脚体の組合せ可能な管体を分解して折り畳み、さらに折り畳んだ布部支持棒及び支持脚体を保持布部内に包むように収納する。このようにして、伸縮ベッドが折りたたまれて収納されるようになる。布部支持棒及び支持脚体が弾性ロープにより接続されているので、布部支持棒と支持脚体の部品とが全部重なるようにまとめられ、ばらばらになって落とすことがない。折り畳んだ伸縮ベッドは、軸方向の寸法が小さく、径寸法が全ての棒体と支持脚体の径との和となるので、伸縮ベッドをコンパクトにした上、伸縮ベッドの部品の紛失が避けられる。
【００１２】
係る伸縮ベッドの展開方法は、以下のようになる。保持布部を展開して、布部支持棒の管体を嵌挿するように組み立てる。そして、先に布部支持棒の、支持棒用筒状部の先端から一つ目の脚体取付孔までの距離と等しくない端を、保持布部の一つ目の脚体取付孔から支持棒用筒状部の他端方向へ挿入し、最後段の管体を挿入するとき、最後段の布部支持棒の管体の長さが、支持棒用筒状部の先端から一つ目の脚体取付孔までの距離と等しいので、最後段の管体を引っ張って、折り畳んで一つ目の脚体取付孔内から残された支持棒用筒状部内に挿入する。さらに保持布部を展開し、そして、支持脚体の支持棒の管体を２つずつで嵌挿し、さらに同一支持脚体の固定支持脚及びロック支持脚を、接続係合口により保持布部の短手方向で水平に対向する２つの脚体取付孔から露出している布部支持棒に係合させ、そして、締結部材が係合溝内に係合するまでロック支持脚を回せばよく、すべての支持脚体を取り付ければ使用できるようになる。
【００１３】
本考案の有益効果
本考案において、折り畳みフレームが完全に分解して折り畳まれることが可能なものであり、布部支持棒及び支持棒が複数の組合せ可能な管体により接続されてなるものであり、組合せ可能な管体が弾性ロープにより接続され、組合せ可能な管体が２つずつジャーナルと係合部との係合により係着され、弾性ロープの両端が固定規制部材により布部支持棒及び支持棒の両先端に固定されるように設けられるので、布部支持棒及び支持棒が、分解して折り畳んでコンパクトなものになって重ねられるようにすることができ、長手寸法が大幅に減少され、折り畳んだ体積が大幅に減少するようになった。弾性ロープの設計により、隣り合う分解部品を接続することができるので、伸縮ベッドの折り畳み、使用に便利である一方、全ての部品を効果的にまとめて扱うことができて、部品の紛失が避けられた。支持棒用筒状部に脚体取付孔を開設するのは、支持脚体の固定・取付を容易にするためである。支持脚体のロック支持脚が一端の接続係合部材に回転可能に取り付けられ、接続係合部材に締結部材と対応する係合溝が設けられ、ロック支持脚の両側に摺動孔が設けられ、締結部材が摺動孔を貫通し、締結部材の両端の径が摺動孔の幅より大きく、締結部材が摺動孔において摺動して係合溝内に係着されたとき、ロック支持脚の位置が固定支持脚の位置と対応するように構成されているので、係着は簡単且つ便利になり、強度も要求に満たすことができる。支持脚体の接続係合口の凹面と布部支持棒の外面とが締りばめのように係合されることにより、支持脚体と布部支持棒との固定接続を保証した。本考案は、構成が巧妙で、使用及び収納に便利であり、製品強度及び耐荷重性を保証した一方、最小の折り畳みサイズが実現され、持ち運びやすくなる。さらに、管体が弾性ロープにより接続されるので、部品の紛失が避けられ、使用するときに手間を省き、よい実用性を備えっている。
【図面の簡単な説明】
【００１４】
【図１】本考案の構造模式図である。
【図２】保持布部を除いた本考案の構造模式図である。
【図３】支持脚体の折り畳んだ状態の構造模式図である。
【図４】保持布部の展開状態の構造模式図である。
【図５】接続係合部材と、ロック支持脚と、締結部材とが係着されていない状態の構造模式図である。
【図６】接続係合部材と、ロック支持脚と、締結部材とが係着されている状態の構造模式図である。
【図７】布部支持棒と弾性ロープとの取り付けの部分拡大断面図である。
【図８】固定規制部材の拡大断面構造模式図である。
【考案を実施するための形態】
【００１５】
以下、図面を参照しながら例を挙げて本考案の具体的な実施形態を説明する。
図１〜８に示すように、超軽量のキャンプ用伸縮ベッドは、保持布部１と、布部支持棒２と、支持脚体３と、弾性ロープ４とを有している。
【００１６】
保持布部１の長手方向の両側には、両端部が封された支持棒用筒状部１１が設けられている。支持棒用筒状部１１には、等間隔で少なくとも４つの脚体取付孔１２が開設されている。両支持棒用筒状部１１の対応する脚体取付孔１２の中心が結ばれる保持布部１の短手方向の線が、支持棒用筒状部１１の中心線に垂直する。
【００１７】
布部支持棒２は、中心にロープ貫通孔２１が開設され、５つの組合せ可能な管体が接続されてなるものである。組合せ可能な管体は、弾性ロープ４により接続され、２つずつがジャーナルと係合部とにより係合され、弾性ロープ４の両端が固定規制部材５により布部支持棒２の両先端に固定されるように設けられている。布部支持棒２の一端の管体の長さは、支持棒用筒状部１１の先端から一つ目の脚体取付孔１２までの距離に等しく、布部支持棒２の全長は、支持棒用筒状部１１の長さに等しく設けられている。布部支持棒２が支持棒用筒状部１１内に嵌挿される。
【００１８】
前記支持脚体３は、支持棒３１と、接続係合部材３２と、固定支持脚３３と、ロック支持脚３４と、締結部材３５とを有している。
【００１９】
２つの接続係合部材３２がそれぞれ支持棒３１の両端に固定取り付けられている。固定支持脚３３は、支持棒３１に垂直するように接続係合部材３２に固定取り付けられ、三角形の支持構造となる。ロック支持脚３４は、その形状、大きさが固定支持脚３３と同様であり、他端の接続係合部材３２に回転可能に取り付けられる。
【００２０】
接続係合部材３２に係合溝３６が設けられ、ロック支持脚３４の両側に摺動孔３７が設けられている。締結部材３５は、摺動孔３７を摺動可能に貫通するように構成される。前記締結部材３５は、固定ピンであり、ピンの両端に締付ナットが固定されるように構成されている。締付ナットの径がピンの径及び摺動孔３７の孔の幅より大きい。締結部材３５と係合溝３６とが対応するように設けられ、締結部材３５が係合溝３６内に係着されたとき、ロック支持脚３４の位置が固定支持脚３３の位置と対応するようになる。
【００２１】
固定支持脚３３とロック支持脚３４との先端に、脚体取付孔１２から露出している布部支持棒２に固定係合される接続係合口３８がそれぞれ設けられ、接続係合口３８の凹面と布部支持棒２の外面とが締りばめのように係合され、係合された場合、固定支持脚３３及びロック支持脚３４が保持布部１に垂直するようになる。
【００２２】
支持棒３１は、中心にロープ貫通孔２１が開設され、２つの組合せ可能な管体により接続されてなるものである。組合せ可能な管体は、弾性ロープ４により接続され、２つずつがジャーナルと係合部との係合により係着され、弾性ロープ４の両端が固定規制部材５により支持棒３１の両先端に固定されるように設けられている。
【００２３】
前記固定規制部材５は、同軸に設けられる頭部５１と接続部５２とを有し、頭部５１の径がロープ貫通孔２１の孔径より大きく、接続部５２の径がロープ貫通孔２１の孔径に等しく構成されている。固定規制部材５は、接続部５２を介して、弾性ロープ４の両端を固定する棒体のロープ貫通孔２１の先端に固定係合される。頭部５１及び接続部５２の中心に中心貫通孔５３が開設され、中心貫通孔５３の孔径と弾性ロープ４の径とが対応するように設けられ、弾性ロープ４が中心貫通孔５３を通して結び目を作るように又は焼結により固定される。保持布部１の上面の一端に枕固定袋が設けられている。
【符号の説明】
【００２４】
符号の説明
１  保持布部、２  布部支持棒、３  支持脚体、４  弾性ロープ、５  固定規制部材、１１  支持棒用筒状部、１２  脚体取付孔、２１  ロープ貫通孔、３１  支持棒、３２  接続係合部材、３３  固定支持脚、３４  ロック支持脚、３５  締結部材、３６  係合溝、３７  摺動孔、３８  接続係合口、５１  頭部、５２  接続部、５３  中心貫通孔。
【図１】
0003221643.tif 000003
【図２】
0003221643.tif 000004
【図３】
0003221643.tif 000005
【図４】
0003221643.tif 000006
【図５】
0003221643.tif 000007
【図６】
0003221643.tif 000008
【図７】
0003221643.tif 000009
【図８】
0003221643.tif 000010